(57)【要約】  【課題】  制御的に事後確認しかできない遊技球が特定領域を通過することを、見た目からも時間的に重複しないようにして、遊技者の憤りや不満の発生を防ぐことができるパチンコ機を提供する。  【解決手段】  特殊状態判定手段の判定結果として表示残時間が検出設定時間よりも小さいと判定したことに基づいて、計時開始条件が成立すると、保持部を遊技球の保持可能な状態に作動制御する一方、第１大当たり遊技制御手段によって移行制御された第１大当たり遊技状態が終了すると保持部を遊技球の保持不能な状態に戻し、保持部に遊技球が保持されていれば当該遊技球を解放して特定領域を通過可能とするように作動制御する。  【選択図】  図１２
2009119028.tif 000002
【特許請求の範囲】
【請求項１】
遊技球が流下する遊技領域と、
前記遊技球が通過可能な第１始動領域並びに第２始動領域と、
複数の図柄を表示可能な図柄表示装置と、
第１電気的駆動源を備え、当該第１電気的駆動源の作動により遊技球の入賞が不能な閉鎖状態から入賞が可能な拡開状態に変換作動が可能な第１入賞装置と、
第２電気的駆動源を備え、当該第２電気的駆動源の作動により遊技球の入賞が不能な閉鎖状態から入賞が可能な拡開状態に変換作動が可能であって、内部に入賞した遊技球が通過可能な特定領域が分画形成された第２入賞装置と、
遊技球が前記第１始動領域を通過したことを検出する第１始動領域検出手段と、
遊技球が前記第２始動領域を通過したことを検出する第２始動領域検出手段と、
前記第１入賞装置に入賞した遊技球を検出する第１入賞球検出手段と、
前記第２入賞装置に入賞した遊技球を検出する第２入賞球検出手段と、
該第２入賞球検出手段より下流位置に配置され、前記特定領域を通過した遊技球を検出する特定領域検出手段と、
前記第１始動領域検出手段が遊技球を検出したことに基づいて大当たりか否かの判定を行う大当たり判定手段と、
該大当たり判定手段の判定結果に対応する停止図柄を決定する停止図柄決定手段と、
該停止図柄決定手段が決定した停止図柄を表示するまでの時間を決定する表示時間決定手段と、
該表示時間決定手段が決定した表示時間が経過すると前記停止図柄決定手段が決定した停止図柄を表示するように前記図柄表示装置の表示を制御する図柄表示装置制御手段と、
前記大当たり判定手段の判定結果が大当たりであって、前記図柄表示装置に当該大当たりに対応する停止図柄が表示されたことを第１大当たり移行契機として、前記第１入賞装置を所定の終了条件が成立するまで前記拡開状態に変換作動する第１大当たり遊技状態に移行制御する第１大当たり遊技制御手段と、
前記第２始動領域検出手段が遊技球を検出したことを契機として前記第２入賞装置を一時的に前記拡開状態に変換作動する条件付き作動制御手段と、
該条件付き作動制御手段が前記第２入賞装置を一時的に前記拡開状態に変換作動した際に入賞した遊技球が前記第２入賞球検出手段によって検出された後、前記特定領域検出手段によって検出されたことを第２大当たり移行契機として、前記第１入賞装置又は前記第２入賞装置を所定の終了条件が成立するまで前記拡開状態に変換作動する第２大当たり遊技状態に移行制御する第２大当たり遊技制御手段と、
前記第１入賞装置又は前記第２入賞装置の拡開状態への変換作動に際して作動していることが必要であって、前記第１大当たり移行契機と前記第２大当たり移行契機が互いに排他的に単独で成立した場合に限り有効とされる条件装置と、を備えたパチンコ機において、
前記第２入賞装置の内部の前記特定領域の上流位置に、第３電気的駆動源を備えて設けられ、常態では遊技球を保持不能であって所定条件が成立すると入賞した遊技球を保持可能となる保持部と、
前記表示時間決定手段が決定した表示時間の表示残時間を演算する表示残時間演算手段と、
前記大当たり判定手段の判定結果が大当たりであって、且つ、前記表示残時間演算手段が演算した前記表示残時間が、計時開始条件が成立した時点から前記特定領域検出手段で検出されるまでの時間として予め設定された検出設定時間よりも小さいか否かを判定する特殊状態判定手段と、
該特殊状態判定手段の判定結果として前記表示残時間が前記検出設定時間よりも小さいと判定したことに基づいて、前記計時開始条件が成立すると、前記保持部を遊技球の保持可能な状態に作動制御する一方、前記第１大当たり遊技制御手段によって移行制御された第１大当たり遊技状態が終了すると前記保持部を遊技球の保持不能な状態に戻し、前記保持部に遊技球が保持されていれば当該遊技球を解放して前記特定領域を通過可能とするように作動制御する保持部制御手段とを備えたことを特徴とするパチンコ機。
【請求項２】
前記計時開始条件は、
前記条件付き作動制御手段が、前記第２入賞装置を一時的に前記拡開状態に変換作動して、前記第２入賞球検出手段が遊技球を検出したことであることを特徴とする請求項１に記載のパチンコ機。
【請求項３】
前記計時開始条件は、
前記第２始動領域検出手段が遊技球を検出して前記条件付き作動制御手段が前記第２入賞装置を一時的に前記拡開状態に変換作動するための契機が発生することであることを特徴とする請求項１に記載のパチンコ機。
【請求項４】
前記検出設定時間は、
前記特定領域への遊技球の通過を有効とすると共に前記第２入賞装置が拡開状態に変換作動した時点から開始する特定領域有効時間の終了する時点で終了するよう設けられ、
前記保持部制御手段が保持部を遊技球の保持可能な状態に作動制御したことに基づいて前記検出設定時間の経過を一時停止して特定領域への遊技球の通過を一時的に無効とし、保持部を遊技球の保持不能な状態に戻すよう作動制御したことに基づいて前記検出設定時間を再度設定して計時を開始し特定領域への遊技球の通過を一時的に有効とする検出設定時間再設定手段を備えたことを特徴とする請求項２または請求項３に記載のパチンコ機。
【発明の詳細な説明】
【技術分野】
【０００１】
本発明は、大当たり判定手段の判定結果が大当たりであって、図柄表示装置に当該大当たりに対応する停止図柄が表示されたことを第１大当たり移行契機として、第１入賞装置を所定の終了条件が成立するまで拡開状態に変換作動する第１大当たり遊技状態に移行制御する第１大当たり遊技制御手段と、第２始動領域検出手段が遊技球を検出したことを契機として第２入賞装置を一時的に拡開状態に変換作動する条件付き作動制御手段と、該条件付き作動制御手段が第２入賞装置を一時的に拡開状態に変換作動した際に入賞した遊技球が第２入賞球検出手段によって検出された後、特定領域検出手段によって検出されたことを第２大当たり移行契機として、第１入賞装置又は第２入賞装置を所定の終了条件が成立するまで拡開状態に変換作動する第２大当たり遊技状態に移行制御する第２大当たり遊技制御手段と、前記第１入賞装置又は前記第２入賞装置の拡開状態への変換作動に際して作動していることが必要であって、前記第１大当たり移行契機と前記第２大当たり移行契機が互いに排他的に単独で成立した場合に限り有効とされる条件装置と、を備えたパチンコ機に関するものである。
【背景技術】
【０００２】
従来、遊技球を用いて遊技を行うパチンコ機においては、図柄変動に係る始動入賞口への入賞に基づいて乱数を取得し、該乱数を予め決められた当たり判定値と比較することにより、図柄の大当たりか否かが判定され、大当たり図柄が確定表示されたことを特別遊技への移行契機とする第一種パチンコ機や、大入賞口の開放に係る始動入賞口への入賞に基づいて大入賞口が所定時間開放し、該開放中に入賞した遊技球が大入賞口の内部に分画形成された特定領域を通過したことを特別遊技への移行契機とする第二種パチンコ機が知られている。
近年、パチンコ機の盤面構成に関しての規則が変更されたことにより、大入賞口を２個まで備えることが可能となり、上述の第一種パチンコ機及び第二種パチンコ機の遊技性を１台のパチンコ機で実現する複合型パチンコ機が現れてきたが、２種類の特別遊技への移行契機それぞれが独立して成立するものであるため、２種類の移行契機が同時に成立することが生じることがあるため、その場合の対応がさまざま執られてきている。例えば、特許文献１においては、第一種特別遊技中では二種始動口への入賞がキャンセルとなり、第二種特別遊技中では一種始動口への入賞による図柄変動開始を待機させるようにしている。特許文献２においては、重複した発生した場合には一方の特別遊技が終了後、他方の特別遊技の移行契機が成立しやすくしている。また、特許文献３においては、図柄の変動中に特定領域を備えた入賞装置への入賞が検出されると入賞した遊技球が特定領域を通過したか否かの結果が得られるまで図柄の変動を中断し、入賞した遊技球によって第二種特別遊技の移行契機が成立していなければ図柄の変動を再開させることで同時発生を防止している。また、特許文献４においては、図柄の変動中に第二種特別遊技が開始されると、第一種特別遊技の移行契機が成立しても第二種特別遊技が終了するまで実行開始時期をずらすようにしている。
【０００３】
【特許文献１】特開２００６−１４９７２９
【特許文献２】特開２００２−１６５９８１
【特許文献３】特開２００６−１０９９０５
【特許文献４】特開２０００−２５４２８６
【発明の開示】
【発明が解決しようとする課題】
【０００４】
複合型パチンコ機に特別遊技への移行契機が複数設けられているといっても、同時に二種類の特別遊技を実行することはできないため、特許文献１に示すように、いずれかの特別遊技が開始されているときには、他方の移行契機が成立するための最初の段階で中止するようにして重複を防止しているが、いずれも未成立段階であれば、２種類の移行契機が成立するために踏む過程は平行して進行してしまい、ごく短時間の内に両方の移行契機が条件的には成立して重複発生してしまうことを防ぐものではない。特許文献２においては、重複発生した特別遊技の一方を実行しない代償として、特別遊技終了後に実行されなかった側の新たな移行契機を成立しやすくしているが、直ちに成立する保証は無く、移行契機が成立するまでに時間と投資を求められることは、遊技者としては不満となる。
【０００５】
また、特許文献３においては、図柄変動中に特定領域を備えた大入賞口への入賞が発生すると第二種特別遊技の移行契機が成立したか否かの結果が出るまで図柄変動が中断されるが、パチンコ機の制御的には、当該変動により確定表示される図柄が大当たり図柄となるのか、或いはハズレ図柄となるのかは、当該変動を開始する時点で既に判明しており、大当たり判定結果がハズレの場合に入賞が発生したといっても第一種特別遊技の移行契機は成立しないことは明白であり、移行契機の重複の危険性がないにもかかわらず変動を中断することは、単位時間あたりの図柄変動可能回数を減少させ、図柄始動記憶数の増加、始動記憶のオーバーフローを招くだけで、遊技者にとって何ら得るところが無い。また、第一種特別遊技の移行契機は、大当たり図柄が確定表示されたことではあるが、大当たり図柄を表示させるのか否かについては、確定表示させるよりも少なくとも数十秒前となる図柄が変動開始された段階での大当たり判定の結果によってパチンコ機の制御的には事前に把握されている事項であり、移行契機の成立時期も正確に時間管理されているため、仮に、図柄変動中に遊技球が特定領域を通過して第二種特別遊技が先に開始されたとしても、制御的には第二種特別遊技が先に開始された時点で第一種特別遊技の移行契機が後追いで発生することは把握できており、特許文献４のように、大当たり図柄の確定表示タイミングをずらして、見かけ上の移行契機の重複成立を回避することは何ら新たな構成を必要とせず、制御的に実現可能なことである。
【０００６】
さらにいえば、特許文献３及び４のように、遊技者が視認できる２種類の移行契機が見かけ上重複しないように対応して、違和感を与えないようにできるのも、後追いで発生する第一種特別遊技の移行契機の成立時期をパチンコ機の制御装置が事前に正確に把握しているためで、特定領域を通過した遊技球が検出されてはじめて移行契機が成立したことが制御的に事後で把握される第二種特別遊技の移行契機が後追いで発生して重複する場合についての解決策を提示するものではない。つまり、大当たり図柄が確定表示された直後に、遊技球が特定領域を通過した場合、現在のパチンコ機においては、先に成立した第一種特別遊技の移行契機によって特別遊技が開始され、後追いで成立した第一種特別遊技の移行契機は無効とされる。
【０００７】
しかしながら、大当たり図柄の確定表示も遊技球の特定領域通過も、遊技者が視認していることであり、２つの移行契機が成立したにも拘わらず、遊技球の特定領域通過は無効とされて特別遊技は１回分しか行われないことに大きな喪失感や不信感を与え、憤りと不満を抱くことになる、という問題があった。
【０００８】
本発明は、上記問題を解決するためになされたものであり、その目的は、制御的に事後確認しかできない遊技球が特定領域を通過することを、見た目からも時間的に重複しないようにして、遊技者の憤りや不満の発生を防ぐことができるパチンコ機を提供することを目的とする。
【課題を解決するための手段】
【０００９】
上記した目的を達成するために、請求項１の発明においては、遊技球が流下する遊技領域と、前記遊技球が通過可能な第１始動領域並びに第２始動領域と、複数の図柄を表示可能な図柄表示装置と、第１電気的駆動源を備え、当該第１電気的駆動源の作動により遊技球の入賞が不能な閉鎖状態から入賞が可能な拡開状態に変換作動が可能な第１入賞装置と、第２電気的駆動源を備え、当該第２電気的駆動源の作動により遊技球の入賞が不能な閉鎖状態から入賞が可能な拡開状態に変換作動が可能であって、内部に入賞した遊技球が通過可能な特定領域が分画形成された第２入賞装置と、遊技球が前記第１始動領域を通過したことを検出する第１始動領域検出手段と、遊技球が前記第２始動領域を通過したことを検出する第２始動領域検出手段と、前記第１入賞装置に入賞した遊技球を検出する第１入賞球検出手段と、前記第２入賞装置に入賞した遊技球を検出する第２入賞球検出手段と、該第２入賞球検出手段より下流位置に配置され、前記特定領域を通過した遊技球を検出する特定領域検出手段と、前記第１始動領域検出手段が遊技球を検出したことに基づいて大当たりか否かの判定を行う大当たり判定手段と、該大当たり判定手段の判定結果に対応する停止図柄を決定する停止図柄決定手段と、該停止図柄決定手段が決定した停止図柄を表示するまでの時間を決定する表示時間決定手段と、該表示時間決定手段が決定した表示時間が経過すると前記停止図柄決定手段が決定した停止図柄を表示するように前記図柄表示装置の表示を制御する図柄表示装置制御手段と、前記大当たり判定手段の判定結果が大当たりであって、前記図柄表示装置に当該大当たりに対応する停止図柄が表示されたことを第１大当たり移行契機として、前記第１入賞装置を所定の終了条件が成立するまで前記拡開状態に変換作動する第１大当たり遊技状態に移行制御する第１大当たり遊技制御手段と、前記第２始動領域検出手段が遊技球を検出したことを契機として前記第２入賞装置を一時的に前記拡開状態に変換作動する条件付き作動制御手段と、該条件付き作動制御手段が前記第２入賞装置を一時的に前記拡開状態に変換作動した際に入賞した遊技球が前記第２入賞球検出手段によって検出された後、前記特定領域検出手段によって検出されたことを第２大当たり移行契機として、前記第１入賞装置又は前記第２入賞装置を所定の終了条件が成立するまで前記拡開状態に変換作動する第２大当たり遊技状態に移行制御する第２大当たり遊技制御手段と、前記第１入賞装置又は前記第２入賞装置の拡開状態への変換作動に際して作動していることが必要であって、前記第１大当たり移行契機と前記第２大当たり移行契機が互いに排他的に単独で成立した場合に限り有効とされる条件装置と、を備えたパチンコ機において、前記第２入賞装置の内部の前記特定領域の上流位置に、第３電気的駆動源を備えて設けられ、常態では遊技球を保持不能であって所定条件が成立すると入賞した遊技球を保持可能となる保持部と、前記表示時間決定手段が決定した表示時間の表示残時間を演算する表示残時間演算手段と、前記大当たり判定手段の判定結果が大当たりであって、且つ、前記表示残時間演算手段が演算した前記表示残時間が、計時開始条件が成立した時点から前記特定領域検出手段で検出されるまでの時間として予め設定された検出設定時間よりも小さいか否かを判定する特殊状態判定手段と、該特殊状態判定手段の判定結果として前記表示残時間が前記検出設定時間よりも小さいと判定したことに基づいて、前記計時開始条件が成立すると、前記保持部を遊技球の保持可能な状態に作動制御する一方、前記第１大当たり遊技制御手段によって移行制御された第１大当たり遊技状態が終了すると前記保持部を遊技球の保持不能な状態に戻し、前記保持部に遊技球が保持されていれば当該遊技球を解放して前記特定領域を通過可能とするように作動制御する保持部制御手段とを備えたことを特徴とする。
【００１０】
また、請求項２の発明においては、前記計時開始条件は、前記条件付き作動制御手段が、前記第２入賞装置を一時的に前記拡開状態に変換作動して、前記第２入賞球検出手段が遊技球を検出したことであることを特徴とする。
【００１１】
また、請求項３の発明においては、前記計時開始条件は、前記第２始動領域検出手段が遊技球を検出して前記条件付き作動制御手段が前記第２入賞装置を一時的に前記拡開状態に変換作動するための契機が発生することであることを特徴とする。
【００１２】
さらに、請求項４の発明においては、前記検出設定時間は、前記特定領域への遊技球の通過を有効とすると共に前記第２入賞装置が拡開状態に変換作動した時点から開始する特定領域有効時間の終了する時点で終了するよう設けられ、前記保持部制御手段が保持部を遊技球の保持可能な状態に作動制御したことに基づいて前記検出設定時間の経過を一時停止して特定領域への遊技球の通過を一時的に無効とし、保持部を遊技球の保持不能な状態に戻すよう作動制御したことに基づいて前記検出設定時間を再度設定して計時を開始し特定領域への遊技球の通過を一時的に有効とする検出設定時間再設定手段を備えたことを特徴とする。
【発明の効果】
【００１３】
請求項１に係る発明においては、大当たり判定手段の判定結果が大当たりと決定している当該変動の表示残時間が検出設定時間よりも小さい場合、保持部制御手段が保持部を遊技球の保持可能な状態に作動制御し、第１大当たり遊技状態が終了すると保持部を遊技球の保持不能な状態に作動制御することで、保持していた遊技球を特定領域に通過可能に解放するため、図柄表示装置が大当たりに対応する停止図柄を表示した後に、遊技球が特定領域を通過することを防止することができ、これにより、特定領域への当該通過が条件装置によって無効とされることを防止することが可能となる。このため、遊技者に大きな喪失感や不信感を与えることを防止できる。
【００１４】
請求項２に係る発明においては、計時開始条件は条件付き作動制御手段が第２入賞装置を一時的に拡開状態に変換作動し、第２入賞球検出手段で遊技球を検出したことであることから、第２入賞装置内の保持部と第２入賞球検出手段との距離、すなわち第２入賞球検出手段から保持部までの遊技球が流下する所要時間が十分に設定されていない場合の構成に対応出来る。
【００１５】
請求項３に係る発明においては、計時開始条件が第２始動領域検出手段で遊技球を検出して条件付き作動制御手段が第２入賞装置を一時的に拡開状態に変換作動するための契機発生であることから、第２入賞装置内の保持部と第２始動領域検出手段との距離、すなわち第２始動領域検出手段から保持部までの遊技球が流下する所要時間が十分に設定されている場合の構成に対応出来る。
【００１６】
請求項４に係る発明においては、保持部が遊技球を保持可能に作動制御されたとき予め定められた特定領域有効時間の経過を一時停止し、保持不能に作動制御されたときに再び特定領域有効時間を再度設定するので、特定領域への通過の可能性のある遊技球が保持部に保持されていることによって設定された特定領域有効時間を経過してしまい、特定領域への通過が無効となることを防止することができる。
【発明を実施するための最良の形態】
【００１７】
以下、本発明におけるいくつかの実施例について、図面を参照して説明する。
先ず、以下に説明する実施例のパチンコ機は、旧第１種、及び旧第２種パチンコ機の機能を共に備えた所謂混合機として構成されている。因みに、旧第１種パチンコ機とは、始動入賞装置における入賞球の検出に伴って可変表示装置での識別情報の変動を開始し、該識別情報が所定の表示結果となると特定遊技状態が発生して変動入賞装置を開放するパチンコ機であり、旧第２種パチンコ機とは、始動入賞装置における入賞球の検出に伴って変動入賞装置を開放し、該変動入賞装置内の特定領域への遊技球の入賞により特定遊技状態を発生するパチンコ機である。
【実施例１】
【００１８】
図１は、本発明の実施例におけるパチンコ機の外観を示す概略正面図である。但し、図１では便宜上、図２で示す遊技盤面上に形成された遊技領域３０ａ内の構成を空白で示している。
【００１９】
パチンコ機１は、縦長の長方形に形成された外枠２と、外枠２に対して開閉可能に取り付けられる内枠３とから構成される。さらに内枠３は複層で構成され、前面側の構成として、ガラスパネル４と上球皿パネル５ａ、更に下球皿パネル５ｂとを図示の通り上から下に備え、背面側の構成として図示しない遊技盤収納枠、及び、同じく図示しないが遊技球の払い出しに係る機構部品等が取り付けられた機構板を備えている。
【００２０】
更に背面側の構成として、遊技制御用ＣＰＵ１１０等が搭載されて遊技の進行を統括制御する主制御基板７０、後述する液晶表示器１５を表示制御する画像制御基板８０、賞球払出装置の球払出制御を行うと共に発射装置の発射制御を行う払出制御基板６０、後述する演出ボタン８６、装飾ＬＥＤ８７等の電飾制御を行うと共に後述するスピーカ８の音声制御を行う電飾音声制御基板８５、を備えるものである。これらの各種電装品とそれらを制御する制御基板に関しては、後で詳述する。
【００２１】
ガラスパネル４は、略矩形の開口窓部６が形成されており、開口窓部６の背面には着脱自在に２枚のガラスが取り付けられている。また、開口窓部６の周囲は合成樹脂製の装飾部７で囲まれ、装飾部７の内部には上述した装飾ＬＥＤ８７が配置されている。上球皿パネル５ａの中央には発射される遊技球を貯留する上球皿９ａが設けられ、更に上球皿９ａの右上方には演出ボタン８６が設けられている。上球皿パネル５ａの下方の下球皿パネル５ｂには、上球皿９ａからオーバーフローした遊技球等を貯留する下球皿９ｂが中央に備えられ、下球皿９ｂの右側方には、遊技球を発射する発射装置（図示しない）の発射力を調整するための発射ハンドル１０が設けられている。
【００２２】
図２は、本実施例の遊技盤面上に形成された遊技領域３０ａ内の構成を説明する概略正面図である。略矩形に形成された遊技盤３０の盤面には、先述した発射装置により発射された遊技球が打ち込まれて流下する遊技領域３０ａが、略楕円形に形成されている。
【００２３】
遊技領域３０ａの略中央には第２入賞装置３１が設けられている。第２入賞装置３１は、左右上部に該第２入賞装置３１内部への遊技球の流入が可能な状態と不能な状態に変化させるための開閉部材３１ａが設けられ、該開閉部材３１ａは図示しない第２電気的駆動源の作動により起立状態と傾倒状態に変化することで第２入賞装置３１を遊技球の入賞が不能な閉鎖状態から入賞が可能な拡開状態に変換作動するように構成される。
【００２４】
また、第２入賞装置３１には、開閉部材３１ａの開放作動中に内部に流入した遊技球を検出する第２入賞球検出手段９８が左右の開閉部材３１ａに近接した下流に、各々に対応して設けられている。そして、該第２入賞球検出手段９８よりも、さらに下流、すなわち第２入賞装置３１の下部中央には、開閉部材３１ａの開放作動中に内部に流入した遊技球が通過可能な特定領域３１ｂが開設され、該特定領域３１ｂの左右両側方には、特定領域３１ｂに流入しなかった遊技球を受け入れる一般領域３１ｃが設けられている。特定領域３１ｂは、左右の一般領域３１ｃとは分画形成されている。また、特定領域３１ｂに流入した遊技球を検出する特定領域検出手段９３と、一般領域３１ｃに流入した遊技球を検出する一般領域検出手段９６を内部に備えている。さらに、第２入賞装置３１の略中央奥側には、後述する図柄表示装置９４の表示内容に対応した飾り図柄が表示される液晶表示器１５が設けられている。
【００２５】
さらに、液晶表示器１５の下部から特定領域３１ｂ及び一般領域３１ｃに向けて前方に下り傾斜して形成され且つ第２入賞球検出手段９８で検出された遊技球が液晶表示器１５の前方を落下した後で、特定領域３１ｂ若しくは一般領域３１ｃの何れかに転動しながら振り分けられるための振分転動部１７が設けられている。そして、該振分転動部１７の前後方向の略中央位置更にいえば、特定領域３１ｂの上方且つ後方（図３参照）すなわち上流位置には、本発明の要部である保持部１６が設けられている。保持部１６は、上方視Ｖ字形状に形成され、第３電気的駆動源としての保持部作動手段２０（図４参照）の作動によって、通常は振分転動部１７の内部に待避して遊技球を保持不能な状態となり、所定条件が成立すると、上方に向かって変位して振分転動部１７の上方に進出することで遊技球を保持可能な状態となるように構成されている。該所定条件は、後述する計時開始条件の成立である。保持部１６については後に詳述する。
【００２６】
第２入賞装置３１の直下には図示２本の遊技釘により形成されて遊技球が通過可能な本発明の第１始動領域３２を上方に配設して、第１始動領域３２を通過した遊技球を受け入れると共に、後述する普通図柄始動口３６に遊技球が入賞したことに基づいて、後述する普通図柄表示装置３７で普通図柄を変動表示し、当たり判定が実行されて当たりとすると判定された場合に当たり図柄を表示して、左右の開閉片を拡開して遊技球が入賞しやすく変化する普通電動役物３５が設けられている。該普通電動役物３５内部には入賞した遊技球を検出可能な第１始動領域検出手段９１が設けられている。普通電動役物３５の左側方には、上述した普通図柄始動口３６が設けられている。
【００２７】
また、該入賞装置の直下には、横長の取付基板の略中央に第１入賞装置３３が設けられている。第１入賞装置３３は、横長矩形形状の開口部を備え、該開口部を図示しない第１電気的駆動源の作動により、遊技球が流入可能な拡開状態と流入不能な閉鎖状態に変換作動可能に構成されている。具体的には、開口部を開放或いは閉塞する略矩形形状の開閉板を前後に傾倒、或いは起立させることにより変換作動するものである。さらに、第１入賞装置３３に入賞した遊技球を検出する第１入賞球検出手段９７が内部に設けられている。
【００２８】
第１入賞装置３３の左方には、左右２個の７セグが並設され、上述した第１始動領域検出手段９１が遊技球の通過を検出したことに基づいて変動した後に停止して確定表示される７セグの表示状態によって、複数の図柄を表示可能な図柄表示装置９４が設けられている。すなわち、図柄表示装置９４は、当たり図柄若しくはハズレ図柄を表示する。また、図柄表示装置９４の直上には、第１始動領域検出手段９１が検出して且つ図柄表示装置９４での表示作動が留保されている始動記憶を、本実施例では上限を４個として記憶保留して表示する作動保留表示部９５が、左右方向に並設された４個のＬＥＤによって構成されている。第１入賞装置３３の右方には、左右２個のＬＥＤで構成された普通図柄表示装置３７が設けられている。上述したように、普通図柄表示装置３７は、普通図柄始動口３６への入賞に基づいて普通図柄を変動表示し、表示結果が当たりとなった場合には、普通電動役物３５は遊技者に有利な状態に変化作動する。
【００２９】
第２入賞装置３１の左右側方のやや下部には、図示２本の遊技釘により形成されて遊技球が通過可能な本発明の第２始動領域３４を上方に配設して、第２始動領域３４を通過した遊技球を受け入れる入賞口が設けられている。該入賞口内部には入賞した遊技球を検出可能な第２始動領域検出手段９２が設けられている。
【００３０】
第２始動領域３４の斜め上方には、入賞に基づいて賞球のみが発生する一般入賞検出手段９９が設けられている。そして、遊技領域３０ａの最下部には、何れの入賞口にも入賞しなかった遊技球を機内に受け入れて排出するためのアウト口１９が開設されている。
【００３１】
上述したように、本実施例のパチンコ機１は、第１始動領域検出手段９１が遊技球を検出したことに基づいて、図柄表示装置９４が複数種類の図柄を変動表示して当たり図柄若しくはハズレ図柄を確定表示して、当たり図柄が表示されると第１入賞装置３３が遊技者に有利な状態で開放作動する第１大当たり遊技状態に移行する、旧第１種パチンコ機としての構成と、第２始動領域検出手段９２が遊技球を検出したことに基づいて、第２入賞装置３１の開閉部材３１ａが所定時間（例えば０．６秒間）開放作動し、当該開放中に遊技球が受け入れられて、特定領域検出手段９３にて検出されると、第１入賞装置３３が遊技者に有利な状態で開放作動する第２大当たり遊技状態に移行する、旧第２種パチンコ機としての構成とを併せ持つ、所謂混合機として構成されている。
【００３２】
尚、上述した第１電気的駆動源、第２電気的駆動源、及び第３電気的駆動源としての保持部作動手段２０については、対象となる構成要素を変換作動することが出来る構成であればどのようなものでもよいが、周知技術であるソレノイド等を用いることが望ましい。また、第１始動領域検出手段９１、第２始動領域検出手段９２、特定領域検出手段９３、一般領域検出手段９６、第１入賞球検出手段９７、及び第２入賞球検出手段９８は、遊技球の通過を検出するものであればよいが、周知技術である近接スイッチを採用することが望ましい。
【００３３】
ここで、第２入賞装置３１の構成について、図３を参照してさらに詳述する。図３は、本実施例の第２入賞装置３１の構成を説明する概略説明図である。上述したように、第２入賞装置３１は、開閉可能に軸支された左右一対の開閉部材３１ａが枢設され、開閉部材３１ａが開放状態にあるときに内部に導かれた遊技球を検出する第２入賞球検出手段９８が設けられている。さらに、第２入賞球検出手段９８で検出された遊技球を中央の凹室に向けて排出する球出口１１が開設され、球出口１１から排出された遊技球を後方且つ下方に向けて流下させる傾斜板１２が後方に向けて下り傾斜して設けられる。傾斜板１２の後端部と、液晶表示器１５の上端部との間には、傾斜板１２を流下してきた遊技球が落下可能な間隙が形成されて設けられる。該間隙の下方には振分転動部１７が前方に向けて下り傾斜して設けられ、遊技球を特定領域３１ｂ、若しくは一般領域３１ｃに向けて振り分けつつ流下させるよう構成される。振分転動部１７には、上方に進出して、流下する遊技球を保持可能な保持部１６が設けられている。該保持部１６は振分転動部１７上から待避して遊技球を保持不能な状態に変換作動するものである。
【００３４】
次に、本実施例の各種電装品とそれらを制御する制御基板に関して、図４を参照して説明する。図４は、本実施例のパチンコ機１に設けられる各種電装品とそれらを制御する制御基板における電源の接続経路と信号の接続経路を示すブロック図である。中抜き矢印の示す方向が電源の接続方向を示し、黒矢印の示す方向が信号の接続先と送信方向で、一方向或いは双方向であるかをを示している。
【００３５】
外部からの電源となるＡＣ２４Ｖ電源は、電源基板５０にて５Ｖ、１２Ｖ、３２Ｖのパチンコ機１で使用する所要の電圧に変換され、遊技球の球貸し外部装置であるＣＲユニットとの中継基板であるＣＲ接続基板５１と、遊技球の発射や賞球の払い出しに係る制御を行う払出制御基板６０に接続される。遊技盤面に配置された各種スイッチからの入力信号に基づきパチンコ遊技としての全体の進行に係る遊技制御を行う主制御基板７０は、払出制御基板６０を介して電源供給を受け、演出中継端子板７５を介してサブ基板である画像制御基板８０、電飾音声制御基板８５に電源を供給する。
【００３６】
主制御基板７０は、遊技盤中継端子板９０を経由して、上述した第１始動領域３２を通過した遊技球を検出する第１始動領域検出手段９１、第２始動領域３４を通過した遊技球を検出する第２始動領域検出手段９２、特定領域３１ｂを通過した遊技球を検出する特定領域検出手段９３、第１始動領域検出手段９１が遊技球を検出したことに基づいて複数の図柄を変動表示可能な図柄表示装置９４、第１始動領域検出手段９１で検出された遊技球の内で変動（表示作動）を留保されている記憶の数を表示する作動保留表示部９５、一般領域３１ｃに流入した遊技球を検出する一般領域検出手段９６、第１入賞装置３３に入賞した遊技球を検出する第１入賞球検出手段９７、第２入賞装置３１に入賞した遊技球を検出する第２入賞球検出手段９８、第１入賞装置３３に入賞した遊技球を検出する第１入賞球検出手段９７、遊技球の通過に基づいて賞球のみが発生する一般入賞検出手段９９、そして上述したように所定条件の成立に基づいて保持部１６を遊技球が保持可能な状態に変換作動させる保持部作動手段２０とに接続されている。そして、一般入賞検出手段９９等、賞球の払い出し契機となる検出手段からの信号に基づき、払出制御基板６０に賞球コマンドを送信して、賞球を払い出させる。
【００３７】
払出制御基板６０は、発射ソレノイド６１、球送りソレノイド６２、扉開放スイッチ６３、受け皿満杯スイッチ６４、払出モータ６５、賞球カウントスイッチ６６と接続されており、主制御基板７０からの賞球コマンドに基づき賞球の払い出しに係る制御を行うとともに、球貸し操作基板５２に設けられたスイッチが操作されることに基づいて貸球の払い出しに係る制御を行う。さらに、ハンドル接続基板５５を介して入力される発射停止スイッチ５６、タッチスイッチ５７からの信号に基づき遊技球の発射制御を行う。
【００３８】
画像制御基板８０は、主制御基板７０からの送信コマンドに基づき、液晶表示器１５における大当たりとなるか否かの報知に関与した演出画像等の演出画像を制御する。電飾音声制御基板８５は、遊技者が操作する演出ボタン８６、遊技の進行に合わせて点灯・点滅される各種の装飾ＬＥＤ８７、効果音を発生するスピーカ８と接続され、主制御基板７０からの送信コマンドに基づく電飾並びに発音による演出に係る制御を行う。
【００３９】
なお、主制御基板７０、画像制御基板８０、電飾音声制御基板８５、払出制御基板６０には、それぞれに図示マイクロプロセッサ（払出制御基板６０には図示せず）が搭載されている。該マイクロプロセッサにはＣＰＵ、ユーザプログラムやユーザプログラムを実行するために必要なデータが格納された内蔵ＲＯＭ、ユーザプログラムのワークエリアとして使用されるＳＲＡＭとしての内蔵ＲＡＭ、等が実装されている。なお、５Ｖのバックアップ電源を供給することで、電源切断後も内蔵ＲＡＭ１３０内のデータをバックアップすることができる。
【００４０】
ここで、上述したように構成される本実施例の第２入賞装置３１の作用に関して、図５を参照して説明する。図５は、本実施例の第２入賞装置３１の作用を説明する概略説明図である。遊技球が第２始動領域３４を通過して第２始動領域検出手段９２で検出されると、該検出に基づいて後述する１秒の開放前インターバルをおいてから、開閉部材３１ａが０．６秒間だけ開放作動する。該開放時に遊技球が開閉部材３１ａに拾われて第２入賞球検出手段９８で検出されると、後述するステップＳ７１３、ステップＳ７１４の判断結果に基づいて保持部１６を作動させるための保持部作動フラグが立てられる。保持部作動フラグが立てられていない場合、図５（Ａ）に示すように、第２入賞球検出手段９８で検出された遊技球は、球出口１１から傾斜板１２上に排出され、傾斜板１２上を流下して振分転動部１７上に落下する。落下した遊技球は振分転動部１７上を転動して前方の特定領域３１ｂ若しくは一般領域３１ｃに振り分けられる。当該図では保持部１６が振分転動部１７の内部に待避しているので遊技球の転動に障害とならず、一般領域３１ｃに振り分けられた状態が示されている。一方、保持部作動フラグが立てられた場合、図５（Ｂ）に示すように、保持部１６が振分転動部１７の上部に進出して、特定領域３１ｂに向かう可能性のある遊技球を保持する。本実施例では、第１大当たり遊技状態の終了後に保持部作動フラグを下ろすことで図５（Ｃ）に示すように、保持部１６が振分転動部１７の内部に再び待避して、保持していた遊技球を解除して、特定領域３１ｂ若しくは一般領域３１ｃに振り分ける。図示した状態は、解放された遊技球が特定領域３１ｂに振り分けられ、特定領域検出手段９３に検出された後で、隣接する一般領域３１ｃに流入した遊技球を排出する通路と連通する傾斜通路を遊技球が流下してくる状態が示されている。
【００４１】
次いで、本実施例の主制御基板７０に搭載されたＣＰＵ１１０が実行する主制御遊技処理について、図６乃至図１１を参照して説明する。図６は、主制御遊技処理を説明するメインフロー図である。図７は、第１始動領域処理モジュールを説明するフロー図である。図８は、第２始動領域処理モジュールを説明するフロー図である。図９は、図柄表示装置処理モジュールを説明するフロー図である。図１０は、第２入賞装置処理モジュールを説明するフロー図である。図１１は、第１入賞装置処理モジュールを説明するフロー図である。
【００４２】
先ず、図６を参照して主制御遊技処理のメインフローについて説明する。ＣＰＵ１１０は各種検出手段からの検出情報等の情報の入力処理や、各制御基板に向けてのコマンドを送信する等の出力処理を行う入出力処理（ステップＳ１００）を実行する。次いで、第１始動領域検出手段９１や普通図柄始動口３６等で遊技球を検出したことに基づいて、大当たりか否かの判定を実行する際の判定値等を作成する判定値作成処理（ステップＳ２００）を実行する。次いで、普通図柄始動口３６への遊技球の入賞に基づいて普通図柄表示装置３７で普通図柄を変動表示し、当たり判定の判定結果に対応した図柄を確定表示する普通図柄遊技処理（ステップＳ３００）を実行する。次いで、普通図柄の判定結果が当たりであった場合に、普通電動役物３５の開閉片を拡開状態に変化作動する普通電動役物処理（ステップＳ４００）を実行する。次いで、第１始動領域検出手段９１の遊技球検出に係る処理を行う第１始動領域処理（ステップＳ５００）を実行する。次いで、第２始動領域検出手段９２の遊技球検出に係る処理を行う第２始動領域処理（ステップＳ６００）を実行する。次いで、図柄表示装置の表示制御に係る処理を行う図柄表示装置処理（ステップＳ７００）を実行する。次いで、第２入賞装置３１の作動に係る処理を行う第２入賞装置処理（ステップＳ８００）を実行する。次いで、第１入賞装置３３の作動に係る処理を行う第１入賞装置処理（ステップＳ９００）を実行する。
【００４３】
第１始動領域処理（ステップＳ５００）について、図７を参照して説明する。先ず、第１始動領域検出手段９１が遊技球を検出したか否かを判断する（ステップＳ５０１）。遊技球を検出したと判断した場合、検出時点における判定値を抽出し（ステップＳ５０２）、次いで内蔵ＲＡＭ１３０内の判定値記憶用バッファで構成される第１乃至第５格納エリアに、判定値を格納可能な空きエリアが有るか否かを判断する（ステップＳ５０３）。空きエリアが有ると判断した場合、ステップＳ５０２で抽出した判定値を、空きエリアの中でも最もエリア固有番号の小さな格納エリアに格納する（ステップＳ５０４）。
【００４４】
第２始動領域処理（ステップＳ６００）について、図８を参照して説明する。先ず、条件装置の作動状態を確認する。本発明の条件装置は、第１入賞装置３３又は前記第２入賞装置３１の拡開状態への変換作動に際して作動していることが必要であって、第１大当たり移行契機としての第１始動領域検出手段９１での検出に基づく判定結果が大当たりとすることが決定した場合と、第２大当たり移行契機としての特定領域検出手段９３での検出が発生した場合と、が互いに排他的に単独で成立した場合に限り有効とされるものであって、本実施例においては、後述する第１大当たりフラグ若しくは第２大当たりフラグであって、条件装置の作動とは第１大当たりフラグ若しくは第２大当たりフラグがＯＮ状態にあることである。ステップＳ６０１では、当該条件装置が未作動であるか否かの判断を行う（ステップＳ６０１）。判断の結果、条件装置が作動していれば第２始動領域処理を終了し、条件装置が作動していなければ続いて第２始動領域検出手段９２が遊技球を検出したか否かを判断する（ステップＳ６０２）。第２始動領域検出手段９２が遊技球を検出した場合には、続いて第２入賞装置３１が作動状態にあるか否かを判断し（ステップＳ６０３）、未作動状態にあると判断した場合に役物作動フラグをセット（ステップＳ６０４）して第２始動領域処理を終了する。
【００４５】
図柄表示装置処理（ステップＳ７００）について、図９を参照して説明する。先ず、条件装置の作動状態を確認して、条件装置が未作動であるか否かの判断を行う（ステップＳ７０１）。判断の結果、条件装置が作動していれば図柄表示装置処理を終了し、条件装置が作動していなければ続いて図柄表示装置９４が作動中であるか否かを判断する（ステップＳ７０２）。図柄表示装置９４が作動中ではないと判断した場合には、第１格納エリアに第１始動領域検出手段９１の検出に基づいて抽出された判定値が格納されているか否かを判断する（ステップＳ７０３）。格納されていなければ図柄表示装置処理を終了し、格納されていれば当該判定値が予め定められた大当たり値と合致するか否かの判断を行う（ステップＳ７０４）。大当たり値と合致すると判断した場合には第１大当たりフラグをＯＮ状態にセットする（ステップＳ７０５）。ステップＳ７０５で第１大当たりフラグをセット完了した場合、又はステップＳ７０４で大当たり値と合致しないと判断した場合には、続いて大当たり若しくはハズレ何れかの判定結果に対応する変動パターンを、予め用意された複数種類の変動パターンの中から選択決定すると共に、同じく判定結果に対応する停止図柄を選択決定する（ステップＳ７０６）。続いて選択された変動パターンに基づいて、停止図柄を表示するまでの所定時間を決定し、当該所定時間を変動タイマｔにセットし（ステップＳ７０７）、図柄表示装置９４の作動すなわち図柄の変動表示を開始すると共に変動タイマｔの計時（減算）を開始して常に本発明の表示算時間として変動タイマｔの値を演算し（ステップＳ７０８）、第２格納エリア以降に判定値が格納値として格納されている場合に、全ての格納値をそれぞれ１格納エリア分だけ繰り下げて再格納し（ステップＳ７０９）、図柄表示装置処理を終了する。
【００４６】
このように、図柄表示装置処理のステップＳ７０４は、第１始動領域検出手段９１の検出に基づいて大当たりか否かの判定を行う本発明の大当たり判定手段である。
また、図柄表示装置処理のステップＳ７０６は、ステップＳ７０４の判定結果に対応する停止図柄を決定する本発明の停止図柄決定手段である。
また、図柄表示装置処理のステップＳ７０７は、ステップＳ７０６の決定した停止図柄を表示するまでの時間を決定する本発明の表示時間決定手段である。
さらに、図柄表示装置処理のステップＳ７０８は、ステップＳ７０７の決定した表示時間の表示残時間を決定する本発明の表示残時間演算手段である。
【００４７】
上述したステップＳ７０２において図柄表示装置９４が作動中であると判断した場合には、続いて計時中の変動タイマｔの値が０より大きいか、すなわち予定された変動時間が終了していないか否かを判断する（ステップＳ７１１）。判断結果として、変動タイマｔの値が０より大きくない、すなわちステップＳ７０７で決定した変動時間が終了したと判断した場合には、ステップＳ７０６で決定した停止図柄を図柄表示装置９４で確定表示する処理を実行して（ステップＳ７１６）、図柄表示装置処理を終了する。
【００４８】
したがって、ステップＳ７１１及びステップＳ７１６を備えた図柄表示装置処理（ステップＳ７００）は、ステップＳ７０７が決定した表示時間すなわち変動タイマ値ｔが経過すると、ステップＳ７０６の決定した停止図柄を表示するように図柄表示装置９４を制御する本発明の図柄表示装置制御手段である。
また、ステップＳ７０５、ステップＳ７０６、ステップＳ７１６は、本発明の第１大当たり移行契機である。
【００４９】
ステップＳ７１１において、変動タイマｔの値が０より大きい、すなわちステップＳ７０７で決定した変動時間が表示残時間演算手段の演算結果として未だ残っている、つまり現在変動中であると判断した場合には、本実施例では第２入賞球検出手段９８が遊技球を検出したか否かを判断し（ステップＳ７１２）、検出していないと判断した場合には図柄表示装置処理を終了する。検出したと判断した場合、上述した第１大当たりフラグがＯＮ状態にあるか否かを判断し（ステップＳ７１３）、第１大当たりフラグが立っていなければ図柄表示装置処理を終了する。第１大当たりフラグがＯＮ状態にあると判断した場合には、変動タイマｔの値がｔ０より大きいか否かを判断する（ステップＳ７１４）。変動タイマｔの値がｔ０より大きくない、すなわち、図柄表示装置９４の確定表示の後に特定領域検出手段９３で検出される可能性の有る場合、保持部１６を遊技球を保持可能な状態に変換作動させるための保持部作動フラグをＯＮ状態にして（ステップＳ７１５）、図柄表示装置処理を終了する。また、ステップＳ７１４において、変動タイマｔの値がｔ０より大きいと判断した場合には、保持部作動フラグを立てずに図柄表示装置処理を終了する。
【００５０】
本実施例のｔ０は、計時開始条件としての第２入賞球検出手段９８での遊技球の検出に基づいて減算計時が開始されて、第２入賞球検出手段９８で検出された遊技球が特定領域検出手段９３で検出されるまでに必要な時間として予め想定される検出設定時間である。
また、本実施例のステップＳ７１４は、本発明の特殊状態判定手段である。
さらに、ステップＳ７１２におけるＹＥＳの判断結果は、本発明の計時開始条件である。
【００５１】
すなわち本実施例では、現在変動中の図柄の変動結果が大当たり図柄で確定表示されることが決定されていて、当該変動時間が終了した後に、第２入賞球検出手段９８で検出された遊技球が特定領域検出手段９３で検出される可能性が有る場合には、第２入賞球検出手段９８の検出に基づいて、保持部作動フラグがＯＮされる。
【００５２】
第２入賞装置処理（ステップＳ８００）について、図１０を参照して説明する。先ず、条件装置の作動状態を確認して、条件装置が未作動であるか否かの判断を行う（ステップＳ８０１）。判断の結果、条件装置が作動していれば第２入賞装置処理を終了し、条件装置が作動していなければ続いて第２入賞装置３１が作動中であるか否かを判断する（ステップＳ８０２）。作動中でなければ続いて役物作動フラグが立っているか否かを判断し（ステップＳ８０３）、ＯＮ状態になければ第２入賞装置処理を終了する。ステップＳ８０３でＯＮ状態であると判断すると、開閉部材３１ａを、開放前インターバルを１秒間、開放時間Ｘを０．６秒間として、当該条件で１回の開放作動をセットする（ステップＳ８０４）。次いで、特定領域検出手段９３での検出を有効として扱う特定領域有効時間Ｔに所定時間をセットし（ステップＳ８０５）、役物作動フラグをＯＦＦして（ステップＳ８０６）、第２入賞装置処理を終了する。
【００５３】
ステップＳ８０２において、第２入賞装置３１が作動中であると判断した場合、後述する確定フラグがＯＮ状態にあるか否かを判断する（ステップＳ８１０）。ＯＮ状態になければ、次いで保持部作動フラグがＯＮ状態にあるか否かを判断する（ステップＳ８１１）。保持部作動フラグがＯＮ状態になければ、続いて開閉部材３１ａの開放時間Ｘが０より大きいか否か、すなわち開放時間Ｘが残っているか否かを判断し（ステップＳ８２０）、残っていると判断した場合はステップＳ８２２に進み、残っていないと判断した場合は第２入賞装置３１の作動を終了する処理を実行する（ステップＳ８２１）。続いて、減算計時されている特定領域有効時間Ｔが０より大きいか、すなわち残時間があるか否かの判断を実行し（ステップＳ８２２）、残時間がなければ第２入賞装置処理を終了する。また、残時間がある場合には特定領域検出手段９３が遊技球を検出したか否かを判断し（ステップＳ８２３）、検出があった場合には第２大当たりフラグをセットして（ステップＳ８２４）、第２入賞装置処理を終了する。
【００５４】
ステップＳ８１１において、保持部作動フラグがＯＮ状態であれば、保持部作動手段２０（図４参照）を介して保持部１６を遊技球の保持可能な状態（図５（Ｂ）参照）に変換作動させ（ステップＳ８１２）、次いで特定領域有効時間Ｔの減算計時を中止して（ステップＳ８１３）、第２入賞装置処理を終了する。
【００５５】
また、ステップＳ８１０において、確定フラグがＯＮ状態であれば、保持部作動手段２０（図４参照）を介して保持部１６を遊技球の保持不能な状態（図５（Ｃ）参照）に復帰作動させ（ステップＳ８１５）、次いで特定領域有効時間Ｔの減算計時を再開して（ステップＳ８１５）、最後に確定フラグをＯＦＦして（ステップＳ８１６）、第２入賞装置処理を終了する。尚、本実施例ではステップＳ８１５において、特定領域有効時間Ｔの減算計時を再開するよう構成したが、新たにこの時点で予め定められた時間Ｔ’をセットしても良い。
【００５６】
したがって、本実施例の第２始動領域処理（ステップＳ６００）及び第２入賞装置処理（ステップＳ８００）のステップＳ８０３、ステップＳ８０４、ステップＳ８０５、ステップＳ８２０、ステップＳ８２１は、第２始動領域検出手段９２が遊技球を検出したことを契機として第２入賞装置３１を一時的に拡開状態に変換作動する本発明の条件付き作動制御手段である。
また、本実施例の第２入賞装置処理（ステップＳ８００）のステップＳ８１２、ステップＳ８１３、ステップＳ８１４、ステップＳ８１５、ステップＳ８１６は、特殊状態判定手段としてのステップＳ７１４の判定結果として表示残時間が検出設定時間よりも小さいと判定したことに基づいて、計時開始条件が成立すると、保持部１６を遊技球の保持可能な状態に作動制御する一方、後述する第１大当たり遊技制御手段によって移行制御された第１大当たり遊技状態が終了すると保持部１６を遊技球の保持不能な状態に戻し、保持部１６に遊技球が保持されていれば遊技球を解放して特定領域３１ｂを通過可能とするように作動制御する保持部制御手段である。
また、ステップＳ８１２、ステップＳ８１３、ステップＳ８１４、ステップＳ８１５、ステップＳ８１６は、本発明の検出設定時間再設定手段である。
さらに、ステップＳ８２３、ステップＳ８２４は、本発明の第２大当たり移行契機である。
【００５７】
第１入賞装置処理（ステップＳ９００）について、図１１を参照して説明する。先ず、条件装置としての第１大当たりフラグがＯＮ状態にあるか否かを判断し（ステップＳ９０１）、判断の結果、第１大当たりフラグがＯＮ状態になければステップＳ９１１に進む。第１大当たりフラグがＯＮ状態にあれば、第１入賞装置３３の制御内容として、開放前インターバルを５秒間、開放時間を２０秒間にセットする（ステップＳ９０２）。次いで、第１入賞球検出手段９７の入賞規程個数Ｍを９個にセットし（ステップＳ９０３）、第１入賞装置３３を第１電気的駆動源を介して拡開状態に変換作動する（ステップＳ９０４）。次いで第１入賞球検出手段９７の入賞規程個数Ｍが９個より小さいか否かを判断し（ステップＳ９０５）、９個より小さくなくなるまでループする。９個より小さくなくなると、すなわち入賞規程個数Ｍが９個となると、第１入賞装置３３を閉口状態に変換作動して（ステップＳ９０６）、ラウンド数Ｒに１を加算処理する（ステップＳ９０７）。そして、ラウンド数Ｒの値が１５より小さいか否かの判断を実行し（ステップＳ９０８）、ラウンド数Ｒの値が１５に満たない場合は、ステップＳ９０４に戻る。すなわちステップＳ９０４乃至ステップＳ９０６を１ラウンドとするラウンドを１５ラウンドまで実行する、本発明の第１大当たり遊技状態に係る処理を行う。ラウンド数Ｒの値が１５となると、第１大当たりフラグをＯＦＦし（ステップＳ９０９）、保持部作動フラグがＯＮ状態であるか否かを判断する（ステップＳ９２０）。保持部作動フラグがＯＮ状態でなければステップＳ９１１に進む。保持部作動フラグがＯＮ状態であれば、保持部作動フラグをＯＦＦして（ステップＳ９２１）、確定フラグをＯＮして（ステップＳ９２２）、ステップＳ９１１に進む。
【００５８】
このように、主制御基板７０のＣＰＵ１１０が実行する第１入賞装置処理（ステップＳ９００）のステップＳ９０１乃至ステップＳ９０９は、本発明の第１大当たり遊技制御手段である。
【００５９】
次いで、条件装置としての第２大当たりフラグがＯＮ状態にあるか否かを判断し（ステップＳ９１１）、判断の結果、第２大当たりフラグがＯＮ状態になければ第１入賞装置処理を終了する。第２大当たりフラグがＯＮ状態にあれば、第１入賞装置３３の制御内容として、開放前インターバルを５秒間、開放時間を２０秒間にセットする（ステップＳ９１２）。次いで、第１入賞球検出手段９７の入賞規程個数Ｍを９個にセットし（ステップＳ９１３）、第１入賞装置３３を第１電気的駆動源を介して拡開状態に変換作動する（ステップＳ９１４）。次いで第１入賞球検出手段９７の入賞規程個数Ｍが９個より小さいか否かを判断し（ステップＳ９１５）、９個より小さくなくなるまでループする。９個より小さくなくなると、すなわち入賞規程個数Ｍが９個となると、第１入賞装置３３を閉口状態に変換作動して（ステップＳ９１６）、ラウンド数Ｒに１を加算処理する（ステップＳ９１７）。そして、ラウンド数Ｒの値が６より小さいか否かの判断を実行し（ステップＳ９１８）、ラウンド数Ｒの値が６に満たない場合は、ステップＳ９１４に戻る。すなわちステップＳ９１４乃至ステップＳ９１６を１ラウンドとするラウンドを６ラウンドまで実行する、本発明の第２大当たり遊技状態に係る処理を行う。ラウンド数Ｒの値が６となると、第２大当たりフラグをＯＦＦし（ステップＳ９１９）、第１入賞装置処理を終了する。
【００６０】
このように、主制御基板７０のＣＰＵ１１０が実行する第１入賞装置処理（ステップＳ９００）のステップＳ９１１乃至ステップＳ９１９は、本発明の第２大当たり遊技制御手段である。
【００６１】
以上、制御内容を開示することにより説明した本実施例の遊技の流れを、図１２を参照してさらに説明する。図１２は、実施例１の制御内容を説明するタイムチャートである。先ず、遊技球が第１始動領域検出手段９１で検出されると、当該検出に基づいて図柄表示装置９４において図柄の変動表示が実行開始される。当該変動中に第２始動領域検出手段９２にて遊技球が検出されると、1秒間の開放前インターバルを経て第２入賞装置３１の開閉部材３１ａが０．６秒間開放する。本実施例においては、特定領域検出手段９３の遊技球の検出を有効に扱う時間としての特定領域有効時間Ｔの計時が当該開放によって開始される。当該開放中に第２入賞装置３１に流入して第２入賞球検出手段９８にて遊技球が検出されると、当該検出から計時が開始される検出設定時間ｔ０と、図柄表示装置９４における図柄の確定表示までの変動タイマ値ｔとの大小を比較判断し、検出設定時間ｔ０の方が変動タイマ値ｔより大きいと判断されると、検出設定時間ｔ０の内のｔｙだけ経過した時点で検出設定時間ｔ０の計時を中止する。当該中止を実行すると保持部１６を遊技球保持可能な状態に変換作動する。図柄表示装置９４における図柄の変動が終了して、確定表示が実行さる。本実施例では、保持部１６の変換作動は大当たりに対応した大当たり図柄が表示される場合に限定して実行されるもので、大当たり図柄が確定表示されると、５秒間の開放前インターバルを経て、第１大当たり遊技状態が開始される。第１大当たり遊技状態が終了すると、計時を中止していた検出設定時間の計時を再開して、検出設定時間ｔ０の内のｔｙを除いた残りのｔｘを再度設定すると共に、保持部１６を遊技球の保持不能な状態に復帰作動する。また、図示したように、本発明の検出設定時間ｔ０は、特定領域有効時間Ｔの終了時期と同時期となるように設定されるものである。
【実施例２】
【００６２】
本発明に係る他の実施例として、実施例２に関して図１３及び図１４を参照して説明する。図１３は、実施例２の図柄表示装置処理モジュールを説明するフロー図である。図１４は、実施例２の制御内容を説明するタイムチャートである。以下に説明する実施例２乃至実施例４は、図柄表示装置処理モジュールの制御内容及びその作用においてのみ実施例１と相違するもので、以下その相違点についてのみ説明する。したがって、同様の構成に関する符号は実施例１と同じものを記載する。
【００６３】
図柄表示装置処理（ステップＳ１７００）について、図１３を参照して説明する。先ず、条件装置の作動状態を確認して、条件装置が未作動であるか否かの判断を行う（ステップＳ１７０１）。判断の結果、条件装置が作動していれば図柄表示装置処理を終了し、条件装置が作動していなければ続いて図柄表示装置９４が作動中であるか否かを判断する（ステップＳ１７０２）。図柄表示装置９４が作動中ではないと判断した場合には、第１格納エリアに第１始動領域検出手段９１の検出に基づいて抽出された判定値が格納されているか否かを判断する（ステップＳ１７０３）。格納されていなければ図柄表示装置処理を終了し、格納されていれば当該判定値が予め定められた大当たり値と合致するか否かの判断を行う（ステップＳ１７０４）。大当たり値と合致すると判断した場合には第１大当たりフラグをＯＮ状態にセットする（ステップＳ１７０５）。ステップＳ１７０５で第１大当たりフラグをセット完了した場合、又はステップＳ１７０４で大当たり値と合致しないと判断した場合には、続いて大当たり若しくはハズレ何れかの判定結果に対応する変動パターンを、予め用意された複数種類の変動パターンの中から選択決定すると共に、同じく判定結果に対応する停止図柄を選択決定する（ステップＳ１７０６）。続いて選択された変動パターンに基づいて、停止図柄を表示するまでの所定時間を決定し、当該所定時間を変動タイマ１ｔにセットし（ステップＳ１７０７）、図柄表示装置９４の作動すなわち図柄の変動表示を開始すると共に変動タイマ１ｔの計時（減算）を開始して常に本発明の表示算時間として変動タイマ１ｔの値を演算し（ステップＳ１７０８）、第２格納エリア以降に判定値が格納値として格納されている場合に、全ての格納値をそれぞれ１格納エリア分だけ繰り下げて再格納し（ステップＳ１７０９）、図柄表示装置処理を終了する。
【００６４】
上述したステップＳ１７０２において図柄表示装置９４が作動中であると判断した場合には、続いて計時中の変動タイマ１ｔの値が０より大きいか、すなわち予定された変動時間が終了していないか否かを判断する（ステップＳ１７１１）。判断結果として、変動タイマ１ｔの値が０より大きくない、すなわちステップＳ１７０７で決定した変動時間が終了したと判断した場合には、ステップＳ１７０６で決定した停止図柄を図柄表示装置９４で確定表示する処理を実行する（ステップＳ１７１５）。次いで、第１大当たりフラグがＯＮ状態か否かを判断し（ステップＳ１７２０）、ＯＮ状態でなければ次に保持部作動フラグがＯＮ状態か否かを判断し（ステップＳ１７１６）、ＯＮ状態であれば保持部作動フラグをＯＦＦし（ステップＳ１７１７）、確定フラグをＯＮして（ステップＳ１７１８）、図柄表示装置処理を終了する。
【００６５】
ステップＳ１７１１において、変動タイマ１ｔの値が０より大きい、すなわちステップＳ１７０７で決定した変動時間が表示残時間演算手段の演算結果として未だ残っている、つまり現在変動中であると判断した場合には、本実施例では第２入賞球検出手段９８が遊技球を検出したか否かを判断し（ステップＳ１７１２）、検出していないと判断した場合には図柄表示装置処理を終了する。検出したと判断した場合、変動タイマ１ｔの値が１ｔ０より大きいか否かを判断する（ステップＳ１７１３）。変動タイマ１ｔの値が１ｔ０より大きくない、すなわち、図柄表示装置９４の確定表示の後に特定領域検出手段９３で検出される可能性の有る場合、保持部１６を遊技球を保持可能な状態に変換作動させるための保持部作動フラグをＯＮ状態にして（ステップＳ１７１４）、図柄表示装置処理を終了する。また、ステップＳ１７１３において、変動タイマ１ｔの値が１ｔ０より大きいと判断した場合には、保持部作動フラグを立てずに図柄表示装置処理を終了する。
【００６６】
本実施例の１ｔ０は、計時開始条件としての第２入賞球検出手段９８での遊技球の検出に基づいて減算計時が開始されて、第２入賞球検出手段９８で検出された遊技球が特定領域検出手段９３で検出されるまでに必要な時間として予め想定される検出設定時間である。
さらに、ステップＳ１７１２におけるＹＥＳの判断結果は、本発明の計時開始条件である。
【００６７】
すなわち本実施例では、現在変動中の図柄の変動結果が大当たり図柄で確定表示されるか否かに関わらず、すなわち第１始動領域検出手段９１における全ての検出に対して、当該変動時間が終了した後に、第２入賞球検出手段９８で検出された遊技球が特定領域検出手段９３で検出される可能性が有る場合には、第２入賞球検出手段９８の検出に基づいて、保持部作動フラグがＯＮされる。
【００６８】
次に、図１４を参照してさらに説明する。上述したように本実施例は、第１始動領域検出手段９１における全ての検出に対して、当該変動時間が終了した後に、第２入賞球検出手段９８で検出された遊技球が特定領域検出手段９３で検出される可能性が有る場合には、保持部作動フラグがＯＮされるものであるため、大当たり図柄が表示される場合は実施例１と同様であるため、図１４はハズレ図柄が表示される場合を示した。先ず、遊技球が第１始動領域検出手段９１で検出されると、当該検出に基づいて図柄表示装置９４において図柄の変動表示が実行開始される。当該変動中に第２始動領域検出手段９２にて遊技球が検出されると、1秒間の開放前インターバルを経て第２入賞装置３１の開閉部材３１ａが０．６秒間開放する。本実施例においては、特定領域検出手段９３の遊技球の検出を有効に扱う時間としての特定領域有効時間１Ｔの計時が当該開放によって開始される。当該開放中に第２入賞装置３１に流入して第２入賞球検出手段９８にて遊技球が検出されると、当該検出から計時が開始される検出設定時間１ｔ０と、図柄表示装置９４における図柄の確定表示までの変動タイマ値１ｔとの大小を比較判断し、検出設定時間１ｔ０の方が変動タイマ値１ｔより大きいと判断されると、検出設定時間１ｔ０の内の１ｔｙだけ経過した時点で検出設定時間１ｔ０の計時を中止する。当該中止を実行すると保持部１６を遊技球保持可能な状態に変換作動する。図柄表示装置９４における図柄の変動が終了して、確定表示が実行さる。本実施例では、保持部１６の変換作動は大当たりに対応した大当たり図柄が表示される場合に限定せずに実行されるもので、この場合ハズレ図柄が確定表示されると、計時を中止していた検出設定時間の計時を再開して、検出設定時間１ｔ０の内の１ｔｙを除いた残りの１ｔｘを再度設定すると共に、保持部１６を遊技球の保持不能な状態に復帰作動する。また、図示したように、本発明の検出設定時間１ｔ０は、特定領域有効時間１Ｔの終了時期と同時期となるように設定されるものである。
【実施例３】
【００６９】
本発明に係る他の実施例として、実施例３に関して図１５及び図１６を参照して説明する。図１５は、実施例３の図柄表示装置処理モジュールを説明するフロー図である。図１６は、実施例３の制御内容を説明するタイムチャートである。
【００７０】
図柄表示装置処理（ステップＳ２７００）について、図１５を参照して説明する。先ず、条件装置の作動状態を確認して、条件装置が未作動であるか否かの判断を行う（ステップＳ２７０１）。判断の結果、条件装置が作動していれば図柄表示装置処理を終了し、条件装置が作動していなければ続いて図柄表示装置９４が作動中であるか否かを判断する（ステップＳ２７０２）。図柄表示装置９４が作動中ではないと判断した場合には、第１格納エリアに第１始動領域検出手段９１の検出に基づいて抽出された判定値が格納されているか否かを判断する（ステップＳ２７０３）。格納されていなければ図柄表示装置処理を終了し、格納されていれば当該判定値が予め定められた大当たり値と合致するか否かの判断を行う（ステップＳ２７０４）。大当たり値と合致すると判断した場合には第１大当たりフラグをＯＮ状態にセットする（ステップＳ２７０５）。ステップＳ２７０５で第１大当たりフラグをセット完了した場合、又はステップＳ２７０４で大当たり値と合致しないと判断した場合には、続いて大当たり若しくはハズレ何れかの判定結果に対応する変動パターンを、予め用意された複数種類の変動パターンの中から選択決定すると共に、同じく判定結果に対応する停止図柄を選択決定する（ステップＳ２７０６）。続いて選択された変動パターンに基づいて、停止図柄を表示するまでの所定時間を決定し、当該所定時間を変動タイマ２ｔにセットし（ステップＳ２７０７）、図柄表示装置９４の作動すなわち図柄の変動表示を開始すると共に変動タイマ２ｔの計時（減算）を開始して常に本発明の表示算時間として変動タイマ２ｔの値を演算し（ステップＳ２７０８）、第２格納エリア以降に判定値が格納値として格納されている場合に、全ての格納値をそれぞれ１格納エリア分だけ繰り下げて再格納し（ステップＳ２７０９）、図柄表示装置処理を終了する。
【００７１】
上述したステップＳ２７０２において図柄表示装置９４が作動中であると判断した場合には、続いて計時中の変動タイマ２ｔの値が０より大きいか、すなわち予定された変動時間が終了していないか否かを判断する（ステップＳ２７１１）。判断結果として、変動タイマ２ｔの値が０より大きくない、すなわちステップＳ２７０７で決定した変動時間が終了したと判断した場合には、ステップＳ２７０６で決定した停止図柄を図柄表示装置９４で確定表示する処理を実行して（ステップＳ２７１６）、図柄表示装置処理を終了する。
【００７２】
ステップＳ２７１１において、変動タイマ２ｔの値が０より大きい、すなわちステップＳ２７０７で決定した変動時間が表示残時間演算手段の演算結果として未だ残っている、つまり現在変動中であると判断した場合には、本実施例では第２始動領域検出手段９２が遊技球を検出したか否かを判断し（ステップＳ２７１２）、検出していないと判断した場合には図柄表示装置処理を終了する。検出したと判断した場合、上述した第１大当たりフラグがＯＮ状態にあるか否かを判断し（ステップＳ２７１３）、第１大当たりフラグが立っていなければ図柄表示装置処理を終了する。第１大当たりフラグがＯＮ状態にあると判断した場合には、変動タイマ２ｔの値が２ｔ０より大きいか否かを判断する（ステップＳ２７１４）。変動タイマ２ｔの値が２ｔ０より大きくない、すなわち、図柄表示装置９４の確定表示の後に特定領域検出手段９３で検出される可能性の有る場合、保持部１６を遊技球を保持可能な状態に変換作動させるための保持部作動フラグをＯＮ状態にして（ステップＳ２７１５）、図柄表示装置処理を終了する。また、ステップＳ２７１４において、変動タイマ２ｔの値が２ｔ０より大きいと判断した場合には、保持部作動フラグを立てずに図柄表示装置処理を終了する。
【００７３】
本実施例の２ｔ０は、計時開始条件としての第２始動領域検出手段９２での遊技球の検出に基づいて減算計時が開始されて、第２入賞球検出手段９８で検出された遊技球が特定領域検出手段９３で検出されるまでに必要な時間として予め想定される検出設定時間である。
さらに、ステップＳ２７１２におけるＹＥＳの判断結果は、本発明の計時開始条件である。
【００７４】
すなわち本実施例では、現在変動中の図柄の変動結果が大当たり図柄で確定表示される場合に限定して、当該変動時間が終了した後に、第２入賞球検出手段９８で検出された遊技球が特定領域検出手段９３で検出される可能性が有る場合には、第２始動領域検出手段９２の検出に基づいて、保持部作動フラグがＯＮされる。
【００７５】
次に、図１６を参照してさらに説明する。上述したように本実施例は、第１始動領域検出手段９１の検出に基づいて大当たりとなる場合に対して、当該変動時間が終了した後に、第２入賞球検出手段９８で検出された遊技球が特定領域検出手段９３で検出される可能性が有る場合には、保持部作動フラグがＯＮされるものである。先ず、遊技球が第１始動領域検出手段９１で検出されると、当該検出に基づいて図柄表示装置９４において図柄の変動表示が実行開始される。当該変動中に第２始動領域検出手段９２にて遊技球が検出されると、1秒間の開放前インターバルを経て第２入賞装置３１の開閉部材３１ａが０．６秒間開放する。本実施例では、第２始動領域検出手段９２の検出に基づいて、当該検出から計時が開始される検出設定時間２ｔ０と、図柄表示装置９４における図柄の確定表示までの変動タイマ値２ｔとの大小を比較判断し、検出設定時間２ｔ０の方が変動タイマ値２ｔより大きいと判断されると、検出設定時間２ｔ０の内の２ｔｙだけ経過した時点で検出設定時間２ｔ０の計時を中止する。当該中止を実行すると保持部１６を遊技球保持可能な状態に変換作動する。図柄表示装置９４における図柄の変動が終了して、確定表示が実行さる。本実施例においては、特定領域検出手段９３の遊技球の検出を有効に扱う時間としての特定領域有効時間２Ｔの計時が上述した開閉部材３１ａの開放によって開始されるものである。上述した当たり図柄の確定表示に基づいて実行される第１大当たり遊技状態が終了することにより、保持部１６が復帰作動し、検出設定時間の計時が再開されて２ｔｘが設定される。
このように、本実施例の計時開始条件は、第２始動領域検出手段９２が遊技球を検出して条件付き作動制御手段が第２入賞装置３１を一時的に拡開状態に変換作動するための契機が発生することである。
【実施例４】
【００７６】
本発明に係る他の実施例として、実施例４に関して図１７及び図１８を参照して説明する。図１７は、実施例４の図柄表示装置処理モジュールを説明するフロー図である。図１８は、実施例４の制御内容を説明するタイムチャートである。
【００７７】
図柄表示装置処理（ステップＳ３７００）について、図１７を参照して説明する。先ず、条件装置の作動状態を確認して、条件装置が未作動であるか否かの判断を行う（ステップＳ３７０１）。判断の結果、条件装置が作動していれば図柄表示装置処理を終了し、条件装置が作動していなければ続いて図柄表示装置９４が作動中であるか否かを判断する（ステップＳ３７０２）。図柄表示装置９４が作動中ではないと判断した場合には、第１格納エリアに第１始動領域検出手段９１の検出に基づいて抽出された判定値が格納されているか否かを判断する（ステップＳ３７０３）。格納されていなければ図柄表示装置処理を終了し、格納されていれば当該判定値が予め定められた大当たり値と合致するか否かの判断を行う（ステップＳ３７０４）。大当たり値と合致すると判断した場合には第１大当たりフラグをＯＮ状態にセットする（ステップＳ３７０５）。ステップＳ３７０５で第１大当たりフラグをセット完了した場合、又はステップＳ３７０４で大当たり値と合致しないと判断した場合には、続いて大当たり若しくはハズレ何れかの判定結果に対応する変動パターンを、予め用意された複数種類の変動パターンの中から選択決定すると共に、同じく判定結果に対応する停止図柄を選択決定する（ステップＳ３７０６）。続いて選択された変動パターンに基づいて、停止図柄を表示するまでの所定時間を決定し、当該所定時間を変動タイマ３ｔにセットし（ステップＳ３７０７）、図柄表示装置９４の作動すなわち図柄の変動表示を開始すると共に変動タイマ３ｔの計時（減算）を開始して常に本発明の表示算時間として変動タイマ３ｔの値を演算し（ステップＳ３７０８）、第２格納エリア以降に判定値が格納値として格納されている場合に、全ての格納値をそれぞれ１格納エリア分だけ繰り下げて再格納し（ステップＳ３７０９）、図柄表示装置処理を終了する。
【００７８】
上述したステップＳ３７０２において図柄表示装置９４が作動中であると判断した場合には、続いて計時中の変動タイマ３ｔの値が０より大きいか、すなわち予定された変動時間が終了していないか否かを判断する（ステップＳ３７１１）。判断結果として、変動タイマ３ｔの値が０より大きくない、すなわちステップＳ３７０７で決定した変動時間が終了したと判断した場合には、ステップＳ３７０６で決定した停止図柄を図柄表示装置９４で確定表示する処理を実行する（ステップＳ３７１５）。次いで、第１大当たりフラグがＯＮ状態か否かを判断し（ステップＳ３７２０）、ＯＮ状態でなければ次に保持部作動フラグがＯＮ状態か否かを判断し（ステップＳ３７１６）、ＯＮ状態であれば保持部作動フラグをＯＦＦし（ステップＳ３７１７）、確定フラグをＯＮして（ステップＳ３７１８）、図柄表示装置処理を終了する。
【００７９】
ステップＳ３７１１において、変動タイマ３ｔの値が０より大きい、すなわちステップＳ３７０７で決定した変動時間が表示残時間演算手段の演算結果として未だ残っている、つまり現在変動中であると判断した場合には、本実施例では第２始動領域検出手段９２が遊技球を検出したか否かを判断し（ステップＳ３７１２）、検出していないと判断した場合には図柄表示装置処理を終了する。検出したと判断した場合、変動タイマ３ｔの値が３ｔ０より大きいか否かを判断する（ステップＳ３７１３）。変動タイマ３ｔの値が３ｔ０より大きくない、すなわち、図柄表示装置９４の確定表示の後に特定領域検出手段９３で検出される可能性の有る場合、保持部１６を遊技球を保持可能な状態に変換作動させるための保持部作動フラグをＯＮ状態にして（ステップＳ３７１４）、図柄表示装置処理を終了する。
【００８０】
すなわち本実施例では、現在変動中の図柄の変動結果が大当たり図柄で確定表示される場合に限定せず、当該変動時間が終了した後に、第２入賞球検出手段９８で検出された遊技球が特定領域検出手段９３で検出される可能性が有る場合には、第２始動領域検出手段９２の検出に基づいて、保持部作動フラグがＯＮされる。
【００８１】
次に、図１８を参照してさらに説明する。上述したように本実施例は、第１始動領域検出手段９１における全ての検出に対して、当該変動時間が終了した後に、第２入賞球検出手段９８で検出された遊技球が特定領域検出手段９３で検出される可能性が有る場合には、保持部作動フラグがＯＮされるものであるため、大当たり図柄が表示される場合は実施例１と同様であるため、図１８はハズレ図柄が表示される場合を示した。先ず、遊技球が第１始動領域検出手段９１で検出されると、当該検出に基づいて図柄表示装置９４において図柄の変動表示が実行開始される。当該変動中に第２始動領域検出手段９２にて遊技球が検出されると、1秒間の開放前インターバルを経て第２入賞装置３１の開閉部材３１ａが０．６秒間開放する。本実施例では、第２始動領域検出手段９２の検出に基づいて、当該検出から計時が開始される検出設定時間３ｔ０と、図柄表示装置９４における図柄の確定表示までの変動タイマ値３ｔとの大小を比較判断し、検出設定時間３ｔ０の方が変動タイマ値３ｔより大きいと判断されると、検出設定時間３ｔ０の内の３ｔｙだけ経過した時点で検出設定時間３ｔ０の計時を中止する。当該中止を実行すると保持部１６を遊技球保持可能な状態に変換作動する。図柄表示装置９４における図柄の変動が終了して、ハズレ図柄が確定表示が実行されると、保持部１６が復帰作動し、検出設定時間の計時が再開されて３ｔｘが設定される。本実施例においては、特定領域検出手段９３の遊技球の検出を有効に扱う時間としての特定領域有効時間３Ｔの計時が上述した開閉部材３１ａの開放によって開始されるものである。
【００８２】
以上、本発明に係る実施例について説明してきたが、これに限定するものではなく、本発明の技術思想から逸脱しない限り、他の構成であっても良い。
【産業上の利用可能性】
【００８３】
遊技球を用いて遊技を行うパチンコ機に利用できる。
【図面の簡単な説明】
【００８４】
【図１】本発明の実施例におけるパチンコ機の外観を示す概略正面図である。
【図２】本実施例の遊技盤面上に形成された遊技領域３０ａ内の構成を説明する概略正面図である。
【図３】本実施例の第２入賞装置３１の構成を説明する概略説明図である。
【図４】本実施例のパチンコ機１に設けられる各種電装品とそれらを制御する制御基板における電源の接続経路と信号の接続経路を示すブロック図である。
【図５】本実施例の第２入賞装置３１の作用を説明する概略説明図である。
【図６】主制御遊技処理を説明するメインフロー図である。
【図７】第１始動領域処理モジュールを説明するフロー図である。
【図８】第２始動領域処理モジュールを説明するフロー図である。
【図９】実施例１の図柄表示装置処理モジュールを説明するフロー図である。
【図１０】第２入賞装置処理モジュールを説明するフロー図である。
【図１１】第１入賞装置処理モジュールを説明するフロー図である。
【図１２】実施例１の制御内容を説明するタイムチャートである。
【図１３】実施例２の図柄表示装置処理モジュールを説明するフロー図である。
【図１４】実施例２の制御内容を説明するタイムチャートである。
【図１５】実施例３の図柄表示装置処理モジュールを説明するフロー図である。
【図１６】実施例３の制御内容を説明するタイムチャートである。
【図１７】実施例４の図柄表示装置処理モジュールを説明するフロー図である。
【図１８】実施例４の制御内容を説明するタイムチャートである。
【符号の説明】
【００８５】
１  パチンコ機（パチンコ機）
２  外枠
３  内枠
４  ガラスパネル
５ａ  上球皿パネル
５ｂ  下球皿パネル
６  開口窓部
７  装飾部
８  スピーカ
９ａ  上球皿
９ｂ  下球皿
１０  発射ハンドル
１１  球出口
１２  傾斜板
１５  液晶表示器
１６  保持部（保持部）
１７  振分転動部
１９  アウト口
２０  保持部作動手段（第３電気的駆動源）
３０  遊技盤
３０ａ  遊技領域（遊技領域）
３１  第２入賞装置（第２入賞装置）
３１ａ  開閉部材（開閉部材）
３１ｂ  特定領域（特定領域）
３１ｃ  一般領域
３２  第１始動領域（第１始動領域）
３３  第１入賞装置（第１入賞装置）
３４  第２始動領域（第２始動領域）
３５  普通電動役物
３６  普通図柄始動口
３７  普通図柄表示装置
５１  ＣＲ接続基板
６０  払出制御基板
７０  主制御基板
７５  演出中継端子板
８０  画像制御基板
８５  電飾音声制御基板
８６  演出ボタン
８７  装飾ＬＥＤ
９０  遊技盤中継端子板
９１  第１始動領域検出手段（第１始動領域検出手段）
９２  第２始動領域検出手段（第２始動領域検出手段）
９３  特定領域検出手段（特定領域検出手段）
９４  図柄表示装置（図柄表示装置）
９５  作動保留表示部
９６  一般領域検出手段
９７  第１入賞球検出手段（第１入賞球検出手段）
９８  第２入賞球検出手段（第２入賞球検出手段）
９９  一般入賞検出手段
１００  マイクロプロセッサ
１１０  遊技制御用ＣＰＵ
１２０  内蔵ＲＯＭ
１３０  内蔵ＲＡＭ
１００  マイクロプロセッサ
２１０  ＣＰＵ
２２０  内蔵ＲＯＭ
２３０  内蔵ＲＡＭ
３００  マイクロプロセッサ
３１０  ＣＰＵ
３２０  内蔵ＲＯＭ
３３０  内蔵ＲＡＭ
【図２】
2009119028.tif 000003
【図３】
2009119028.tif 000004
【図４】
2009119028.tif 000005
【図５】
2009119028.tif 000006
【図６】
2009119028.tif 000007
【図７】
2009119028.tif 000008
【図８】
2009119028.tif 000009
【図９】
2009119028.tif 000010
【図１０】
2009119028.tif 000011
【図１１】
2009119028.tif 000012
【図１２】
2009119028.tif 000013
【図１３】
2009119028.tif 000014
【図１４】
2009119028.tif 000015
【図１５】
2009119028.tif 000016
【図１６】
2009119028.tif 000017
【図１７】
2009119028.tif 000018
【図１８】
2009119028.tif 000019
【図１】
2009119028.tif 000020